(57)【要約】【課題】リングネットワークのノード局装置及びその通信処理方法に関し、伝送路の帯域を効率よく使用し、通信の疎通率を高める。【解決手段】  自局装置の配下の複数の通信端末からの送信フレーム信号に格納されている送信先通信端末のＭＡＣアドレスをＭＡＣ−ＤＡ抽出部１４で抽出し、送信先通信端末が収容されているノード局装置のＭＡＣアドレスが収集情報記録部１７に登録されているか否かを調べ、登録されている場合には該送信先ノード局装置のＭＡＣアドレスを送信先ＭＡＣアドレスとするポイントツーポイント通信を行い、登録されていない場合にはブロードキャスト通信を行う。ＭＡＣアドレスの学習は、自局装置配下の通信端末からの送信フレーム信号の送信元ＭＡＣアドレスをＭＡＣ−ＳＡ抽出部１１で抽出し、該ＭＡＣアドレスを通知するＭＡＣアドレス通知フレームを通知フレーム生成部１３で生成して他のノード局装置に通知して行う。【選択図】図１
2009060383.tif 000002
【特許請求の範囲】
【請求項１】
リング状伝送路に接続され、自局装置の配下に設置された複数の通信端末からの送信フレーム信号をリング状伝送路に配信し、かつ、該リング状光伝送路に配信されるフレーム信号が自局装置宛てのものか否かを判定し、自局装置宛ての場合は該フレーム信号を配下の通信端末へ中継し、自局装置宛てでない場合は該フレーム信号を隣接ノード局装置へ中継するノード局装置において、
前記自局装置の配下に設置された複数の通信端末からの送信フレーム信号に格納されている送信先通信端末のＭＡＣアドレスを抽出する送信先通信端末ＭＡＣアドレス抽出手段と、
送信先通信端末のＭＡＣアドレスと、該送信先通信端末が収容されているノード局装置のＭＡＣアドレスとの対応を格納する収集情報記録部と、
前記送信先通信端末ＭＡＣアドレス抽出手段で抽出した送信先通信端末のＭＡＣアドレスが前記収集情報記録部に登録されている場合には、該登録されている送信先通信端末が収容されているノード局装置のＭＡＣアドレスを送信先ＭＡＣアドレスとするポイントツーポイント通信のヘッダを、前記通信端末からの送信フレーム信号に付加して送信し、前記送信先通信端末のＭＡＣアドレスが前記収集情報記録部に登録されていない場合には、リング伝送路上の全てのノード局装置を送信先とするブロードキャスト通信のヘッダを、前記通信端末からの送信フレーム信号に付加して送信する送信手段と、
を備えたことを特徴とするリングネットワークのノード局装置。
【請求項２】
前記自局装置の配下に設置された複数の通信端末からの送信フレーム信号に格納されている送信元通信端末のＭＡＣアドレスを抽出する送信元通信端末ＭＡＣアドレス抽出手段と、
前記送信元通信端末ＭＡＣアドレス抽出手段で抽出された送信元通信端末のＭＡＣアドレスであって、未登録のＭＡＣアドレスを登録する通信端末ＭＡＣアドレス記録部と、
前記通信端末ＭＡＣアドレス記録部に登録された送信元通信端末ＭＡＣアドレスを他のノード局装置へ通知するためのＭＡＣアドレス通知フレーム信号を生成するＭＡＣアドレス通知フレーム生成手段と、
前記ＭＡＣアドレス通知フレーム信号を、他のノード局装置の全てにブロードキャスト送信により送信する手段と、
他のノード局装置から送信されたＭＡＣアドレス通知フレーム信号を受信し、該ＭＡＣアドレス通知フレーム信号に格納されている他のノード局装置配下の通信端末のＭＡＣアドレスを、該ＭＡＣアドレス通知フレーム信号の送信元のノード局装置のＭＡＣアドレスと対応させて、前記収集情報記録部に登録する手段と
を備えたことを特徴とする請求項１に記載のリングネットワークのノード局装置。
【請求項３】
リング状伝送路に接続され、自局装置の配下に設置された複数の通信端末からの送信フレーム信号をリング状伝送路に配信し、かつ、該リング状光伝送路に配信されるフレーム信号が自局装置宛てのものか否かを判定し、自局装置宛ての場合は該フレーム信号を配下の通信端末へ中継し、自局装置宛てでない場合は該フレーム信号を隣接ノード局装置へ中継するノード局装置の通信処理方法において、
前記自局装置の配下に設置された複数の通信端末からの送信フレーム信号に格納されている送信先通信端末のＭＡＣアドレスを抽出するステップと、
送信先通信端末のＭＡＣアドレスと、該送信先通信端末が収容されているノード局装置のＭＡＣアドレスとの対応を記録する収集情報記録部に、前記送信フレーム信号から抽出した送信先通信端末のＭＡＣアドレスが既に記録されているか否かを調べるステップと、
前記送信フレーム信号から抽出した送信先通信端末のＭＡＣアドレスが前記収集情報記録部に登録されている場合には、該登録されている送信先通信端末が収容されているノード局装置のＭＡＣアドレスを送信先ＭＡＣアドレスとするポイントツーポイント通信のヘッダを、前記通信端末からの送信フレーム信号に付加して送信し、前記送信先通信端末のＭＡＣアドレスが前記収集情報記録部に登録されていない場合には、リング伝送路上の全てのノード局装置を送信先とするブロードキャスト通信のヘッダを、前記通信端末からの送信フレーム信号に付加して送信するステップと、
を含むことを特徴とするリングネットワークのノード局装置の通信処理方法。
【請求項４】
前記自局装置の配下に設置された複数の通信端末からの送信フレーム信号に格納されている送信元通信端末のＭＡＣアドレスを抽出するステップと、
前記抽出された送信元通信端末のＭＡＣアドレスで、未登録のＭＡＣアドレスを通信端末ＭＡＣアドレス記録部に登録するステップと、
前記通信端末ＭＡＣアドレス記録部に登録された送信元通信端末ＭＡＣアドレスを他のノード局装置へ通知するためのＭＡＣアドレス通知フレーム信号を生成するステップと、
前記ＭＡＣアドレス通知フレーム信号を、他のノード局装置の全てにブロードキャスト送信により送信するステップと、
他のノード局装置から送信されたＭＡＣアドレス通知フレーム信号を受信し、該ＭＡＣアドレス通知フレーム信号に格納されている他のノード局装置配下の通信端末のＭＡＣアドレスを、該ＭＡＣアドレス通知フレーム信号の送信元のノード局装置のＭＡＣアドレスと対応させて、前記収集情報記録部に登録するステップと
を含むことを特徴とする請求項３に記載のリングネットワークのノード局装置の通信処理方法。
【発明の詳細な説明】
【技術分野】
【０００１】
本発明は、リング状光伝送路に接続され、自局装置の配下に設置された複数の通信端末からの送信フレーム信号をリング状光伝送路に配信し、かつ、該リング状光伝送路に配信されるフレーム信号が自局装置宛てのものか否かを判定し、自局装置宛ての場合は該フレーム信号を配下の通信端末へ中継し、自局装置宛てでない場合は該フレーム信号を隣接ノード局装置へ中継するノード局装置、及びその通信処理方法に関する。
【背景技術】
【０００２】
図４は、リング状光伝送路に複数のノード局装置を接続して構成したリングネットワークの構成例を示す。同図に示す構成例は、４つのノード局装置Ａ，Ｂ，Ｃ，Ｄをリング状光伝送路に接続して構成したリングネットワークを示している。なお、各ノード局装置Ａ，Ｂ，Ｃ，Ｄは回線収容パッケージＭＢＣを備え、各回線収容パッケージＭＢＣには、リング状光伝送路と、各ノード局装置Ａ，Ｂ，Ｃ，Ｄ配下に設置された複数の通信端末（図示省略）とが接続される。
【０００３】
各回線収容パッケージＭＢＣは、配下の通信端末から送信されたフレーム信号をリング状光伝送路に送出し、また、リング状光伝送路から流入するフレーム信号を取り込み、該流入フレーム信号が自局装置宛てのものか否かを判定し、自局装置宛ての場合に該流入フレーム信号を配下の通信端末へ中継し、自局装置宛てでない場合は該流入フレーム信号を隣接するノード局装置へ中継する。
【０００４】
従来のリングネットワークの通信処理方式として、例えば下記の特許文献１等に記載さているように、トークンリング方式（ＩＥＥＥ８０２．５）による通信処理方式がある。トークンリング方式は、図４に示すようなリングネットワーク上に接続された各ノード局装置（ホストコンピュータ又はノード局装置等）が送信権を得るために、トークンと呼ばれる送信許可証を、各ノード局装置間で決められた順番で順々に受け渡す。
【０００５】
トークンを受け取ったノード局装置は、自局装置に送信データが存在する場合は、該送信データをリングネットワークに送信し、全ての送信データの送信を終えた後、次のノード局装置にトークンを引き渡す。自局装置に送信データが存在しない場合は、受け取ったトークンをそのまま次のノード局装置に引き渡す。従って、１つのリングネットワーク上には、データを送信するノード局装置は１つしか存在せず、複数の送信データのフレーム同士が衝突することはない。
【０００６】
また、二重化したリング状光伝送路を用いて各ノード局装置を接続して構成した冗長リングネットワークの構成については、下記の特許文献２等に記載されている。
【特許文献１】特開平１０−５６４７２号公報
【特許文献２】特開２００６−７４６３９号公報
【発明の開示】
【発明が解決しようとする課題】
【０００７】
上述のトークンリング方式による通信処理方式は、トークンが各ノード局装置に受け渡されて自局装置に回って来なければ、各ノード局装置はデータを送信することができないので、ノード局装置の数が増大するにつれて送信待機時間が長くなってしまうという欠点が有る。本発明では、送信待機時間が長大化することなく、かつ、伝送路の帯域を効率よく使用し、通信の疎通率を高めることができるノード局装置及びその通信処理方法を提供することを目的とする。
【課題を解決するための手段】
【０００８】
本発明のリングネットワークのノード局装置は、自局装置の配下に設置された複数の通信端末からの送信フレーム信号に格納されている送信先通信端末のＭＡＣアドレスを抽出する送信先通信端末ＭＡＣアドレス抽出手段と、送信先通信端末のＭＡＣアドレスと、該送信先通信端末が収容されているノード局装置のＭＡＣアドレスとの対応を格納する収集情報記録部と、前記送信先通信端末ＭＡＣアドレス抽出手段で抽出した送信先通信端末のＭＡＣアドレスが前記収集情報記録部に登録されている場合には、該登録されている送信先通信端末が収容されているノード局装置のＭＡＣアドレスを送信先ＭＡＣアドレスとするポイントツーポイント通信のヘッダを、前記通信端末からの送信フレーム信号に付加して送信し、前記送信先通信端末のＭＡＣアドレスが前記収集情報記録部に登録されていない場合には、リング伝送路上の全てのノード局装置を送信先とするブロードキャスト通信のヘッダを、前記通信端末からの送信フレーム信号に付加して送信する送信手段と、を備えたことを特徴とする。
【０００９】
また、前記自局装置の配下に設置された複数の通信端末からの送信フレーム信号に格納されている送信元通信端末のＭＡＣアドレスを抽出する送信元通信端末ＭＡＣアドレス抽出手段と、前記送信元通信端末ＭＡＣアドレス抽出手段で抽出された送信元通信端末のＭＡＣアドレスであって、未登録のＭＡＣアドレスを登録する通信端末ＭＡＣアドレス記録部と、前記通信端末ＭＡＣアドレス記録部に登録された送信元通信端末ＭＡＣアドレスを他のノード局装置へ通知するためのＭＡＣアドレス通知フレーム信号を生成するＭＡＣアドレス通知フレーム生成手段と、前記ＭＡＣアドレス通知フレーム信号を、他のノード局装置の全てにブロードキャスト送信により送信する手段と、他のノード局装置から送信されたＭＡＣアドレス通知フレーム信号を受信し、該ＭＡＣアドレス通知フレーム信号に格納されている他のノード局装置配下の通信端末のＭＡＣアドレスを、該ＭＡＣアドレス通知フレーム信号の送信元のノード局装置のＭＡＣアドレスと対応させて、前記収集情報記録部に登録する手段と、を備えたことを特徴とする。
【００１０】
また、本発明のリングネットワークのノード局装置の通信処理方法は、自局装置の配下に設置された複数の通信端末からの送信フレーム信号に格納されている送信先通信端末のＭＡＣアドレスを抽出するステップと、送信先通信端末のＭＡＣアドレスと、該送信先通信端末が収容されているノード局装置のＭＡＣアドレスとの対応を記録する収集情報記録部に、前記送信フレーム信号から抽出した送信先通信端末のＭＡＣアドレスが既に記録されているか否かを調べるステップと、前記送信フレーム信号から抽出した送信先通信端末のＭＡＣアドレスが前記収集情報記録部に登録されている場合には、該登録されている送信先通信端末が収容されているノード局装置のＭＡＣアドレスを送信先ＭＡＣアドレスとするポイントツーポイント通信のヘッダを、前記通信端末からの送信フレーム信号に付加して送信し、前記送信先通信端末のＭＡＣアドレスが前記収集情報記録部に登録されていない場合には、リング伝送路上の全てのノード局装置を送信先とするブロードキャスト通信のヘッダを、前記通信端末からの送信フレーム信号に付加して送信するステップと、を含むことを特徴とする。
【００１１】
また、前記自局装置の配下に設置された複数の通信端末からの送信フレーム信号に格納されている送信元通信端末のＭＡＣアドレスを抽出するステップと、前記抽出された送信元通信端末のＭＡＣアドレスで、未登録のＭＡＣアドレスを通信端末ＭＡＣアドレス記録部に登録するステップと、前記通信端末ＭＡＣアドレス記録部に登録された送信元通信端末ＭＡＣアドレスを他のノード局装置へ通知するためのＭＡＣアドレス通知フレーム信号を生成するステップと、前記ＭＡＣアドレス通知フレーム信号を、他のノード局装置の全てにブロードキャスト送信により送信するステップと、他のノード局装置から送信されたＭＡＣアドレス通知フレーム信号を受信し、該ＭＡＣアドレス通知フレーム信号に格納されている他のノード局装置配下の通信端末のＭＡＣアドレスを、該ＭＡＣアドレス通知フレーム信号の送信元のノード局装置のＭＡＣアドレスと対応させて、前記収集情報記録部に登録するステップと、を含むことを特徴とする。
【発明の効果】
【００１２】
本発明によれば、リングネットワークに接続された他のノード局装置配下の通信端末を送信先とするフレーム信号を送信する場合、送信先の通信端末が収容されているノード局装置のＭＡＣアドレスを各ノード局装置で学習し、該フレーム信号に該送信先ノード局装置のＭＡＣアドレスを含むヘッダを付加したＭＡＣフレームを送信し、送信先ノード局装置とのポイントツーポイント通信を行うことにより、他のノード局装置宛てへの余分なＭＡＣフレームが送信されず、伝送路の帯域を効率よく使用することが可能となり、伝送路の容量が小さいリングネットワークであっても、通信の疎通率を高めることができる。
【００１３】
また、ＭＡＣアドレスを活用して送信することにより、従来のトークン方式のように、送信権を獲得するまで待機することなく、速やかにかつ円滑にノード局装置間でＭＡＣフレームを送受することが可能となる。
【発明を実施するための最良の形態】
【００１４】
図１は本発明によるノード局装置の回線収容パッケージ（ＭＢＣ）の構成を示す。ノード局装置の回線収容パッケージ１０は、０系と１系の光伝送路を有する二重化されたリングネットワーク上に接続され、自局装置の配下に設置されたパソコン等の複数の通信端末２０と、リングネットワーク上の他のノード局装置（対向装置）３０との中間に位置し、自局装置配下の通信端末２０と他のノード局装置（対向装置）３０との間で送受される通信データのフレーム信号を中継する。
【００１５】
ノード局装置の回線収容パッケージ１０（以下、単にノード局装置１０と記す。）と他のノード局装置（対向装置）３０との間で送受するフレーム信号にはＭＡＣフレームを使用し、ノード局装置１０と配下の端末装置２０との間で送受するフレーム信号には、イーサネット（登録商標）フレームを使用する。ここで、ＭＡＣフレームは、ノード局装置１０と配下の端末装置２０との間で送受されるイーサネット（登録商標）フレームに、送信先のノード局装置（対向装置）３０のＭＡＣアドレスを含むヘッダを付加したフレームである。
【００１６】
ノード局装置１０において、１１は通信端末２０から送信されたイーサネット（登録商標）フレームのヘッダ部から、送信元の通信端末２０のＭＡＣアドレスを抽出するための送信元通信端末ＭＡＣアドレス（ＭＡＣ−ＳＡ）抽出部である。１２は送信元通信端末ＭＡＣアドレス（ＭＡＣ−ＳＡ）抽出部１１で抽出された送信元通信端末ＭＡＣアドレス（ＭＡＣ−ＳＡ）を登録する通信端末ＭＡＣアドレス記録部である。なお、通信端末ＭＡＣアドレス記録部１２には、送信元通信端末ＭＡＣアドレス（ＭＡＣ−ＳＡ）の重複登録は行わないものとする。
【００１７】
１３は、通信端末ＭＡＣアドレス記録部１２に登録された自局装置配下の通信端末ＭＡＣアドレス（ＭＡＣ−ＳＡ）情報を他のノード局装置に通知するためのＭＡＣアドレス通知フレーム信号を生成するＭＡＣアドレス通知フレーム生成部である。
【００１８】
１４は、通信端末２０から送信されたイーサネット（登録商標）フレーム信号のヘッダ部から送信先通信端末のＭＡＣアドレスを抽出するための送信先通信端末ＭＡＣアドレス（ＭＡＣ−ＤＡ）抽出部であり、抽出した送信先通信端末のＭＡＣアドレスが、後述する収集情報記録部１７に収容ノード局装置のＭＡＣアドレスとともに登録されているかどうかを調べ、登録されていればその収容ノード局装置のＭＡＣアドレスを送信部１５に通知し、登録されていない場合はその旨を送信部１５に通知する。
【００１９】
１５は、ＭＡＣアドレス通知フレーム生成部１３にて作成されたＭＡＣアドレス通知フレーム信号、及び通信端末２０から送信されたイーサネット（登録商標）フレーム信号に送信先のノード局装置（対向装置）３０のＭＡＣアドレスを含むヘッダを付加したＭＡＣフレーム信号を送信する送信部である。
【００２０】
送信部１５は、上記のＭＡＣアドレス通知フレーム信号を、リングネットワーク上の全てのノード局装置にブロードキャスト送信する。なお、該ＭＡＣアドレス通知フレーム信号をブロードキャスト送信する際には、自ノード局装置１０のＭＡＣアドレスを送信元ＭＡＣアドレスとして送信する。また、このＭＡＣアドレス通知フレーム信号の生成及びそのブロードキャスト送信は、予め定められた所定のタイムインターバル毎に、複数の通信端末ＭＡＣアドレス（ＭＡＣ−ＳＡ）情報をまとめて行う構成とすることができる。
【００２１】
また、送信部１５は、送信先通信端末を収容するノード局装置（対向装置）のＭＡＣアドレスが、送信先通信端末ＭＡＣアドレス（ＭＡＣ−ＤＡ）抽出部１４からの通知によって特定されれば、該ノード局装置（対向装置）のＭＡＣアドレスを送信先ＭＡＣアドレスとするヘッダを付加したＭＡＣフレーム信号を送信する。
【００２２】
こうすることにより、送信先ノード局装置（対向装置）のＭＡＣアドレスを指定したフレーム信号を送信するポイントツウポイント通信を行うことができる。なお、送信先通信端末を収容するノード局装置（対向装置）のＭＡＣアドレスが特定されない場合は、送信部１５は、通信端末２０からのイーサネット（登録商標）フレーム信号に、リングネットワーク上の全てのノード局装置を送信先とするヘッダを付加したＭＡＣフレーム信号をブロードキャスト送信する。
【００２３】
１６は、他のノード局装置から送信されたＭＡＣフレームを受信し、その中からＭＡＣアドレス通知フレーム信号により通知される他のノード局装置配下の通信端末のＭＡＣアドレス情報を抽出する他ノード通信端末ＭＡＣアドレス情報収集部である。他ノード通信端末ＭＡＣアドレス情報収集部１６は、ＭＡＣアドレス通知フレーム信号から抽出した通信端末のＭＡＣアドレス情報と、該ＭＡＣアドレス通知フレーム信号の送信元のノード局装置のＭＡＣアドレスとを、ＭＡＣアドレス収集情報記録部１７に送出する。
【００２４】
１７は、他装置配下ＭＡＣアドレス情報収集部１６で抽出した、他のノード局装置配下の通信端末のＭＡＣアドレス情報とその収容ノード局装置のＭＡＣアドレス情報とを登録するＭＡＣアドレス収集情報記録部である。なお、該ＭＡＣアドレス収集情報記録部１７において、他のノード局装置配下の通信端末のＭＡＣアドレス情報の重複登録は行わないものとする。
【００２５】
１８は、他のノード局装置（対向装置）からリングネットワークを介して受信された自局装置宛のＭＡＣフレーム信号から、送信先及び送信元のノード局装置のＭＡＣアドレスを含むヘッダを削除したイーサネット（登録商標）フレーム信号を生成するためのイーサネット（登録商標）フレーム生成部である。なお、イーサネット（登録商標）フレームは、ＩＥＥＥ８０２．３によって標準化されているフレームである。
【００２６】
本発明のノード局装置では、ＭＡＣアドレス通知フレーム信号を、リングネットワーク上の他のノード局装置へブロードキャスト送信し、各ノード局装置は、該ＭＡＣアドレス通知フレーム信号を受信して他のノード局装置に収容されている通信端末のＭＡＣアドレスとその収容ノード局装置のＭＡＣアドレスの対応関係を学習し、ＭＡＣアドレス収集情報記録部１７に記録する。
【００２７】
そして、通信端末２０から送信されたイーサネット（登録商標）フレームのヘッダ部から送信先通信端末のＭＡＣアドレスを、送信先通信端末ＭＡＣアドレス（ＭＡＣ−ＤＡ）抽出部１４で抽出し、抽出した送信先通信端末のＭＡＣアドレスが、収集情報記録部１７に登録されているかどうかを調べ、登録されていれば、その収容ノード局装置のＭＡＣアドレスを送信部１５に通知し、送信部１５は、該ノード局装置のＭＡＣアドレスを送信先ＭＡＣアドレスとするヘッダを付加したＭＡＣフレーム信号を送信し、送信先ノード局装置（対向装置）のＭＡＣアドレスを指定したポイントツウポイント通信を行う。
【００２８】
図２に本発明のノード局装置の通信処理のフローを示す。本発明のノード局装置の通信処理のフローについて図２を参照して説明する。ここで、図３に示すようにリングネットワークに４つのノード局装置が接続され、各ノード局装置のＭＡＣアドレスはそれぞれｎｏｄｅ＿Ａ，ｎｏｄｅ＿Ｂ，ｎｏｄｅ＿Ｃ，ｎｏｄｅ＿Ｄであり、ｎｏｄｅ＿Ａのノード局装置の配下に第１の通信端末（＃１）が設置され、ｎｏｄｅ＿Ｄのノード局装置の配下に第２の通信端末（＃２）が設置され、第１及び第２の通信端末（＃１），（＃２）のＭＡＣアドレスは、それぞれ、ｐｃ＿Ａ，ｐｃ＿Ｄであるとする。
【００２９】
ｎｏｄｅ＿Ａのノード局装置において、自局装置配下の通信端末（＃１）から、ＩＥＥＥ８０２．３により規格化されているイーサネット（登録商標）フレーム信号を受信する（ステップＳ１）。該イーサネット（登録商標）フレーム信号には、送信元ＭＡＣアドレス（ＭＡＣ−ＳＡ）：ｐｃ＿Ａ、送信先ＭＡＣアドレス（ＭＡＣ−ＤＡ）：ｐｃ＿Ｄがヘッダ部に格納されているものとする。
【００３０】
送信元通信端末ＭＡＣアドレス（ＭＡＣ−ＳＡ）抽出部１１は、イーサネット（登録商標）フレーム信号の送信元アドレス部に格納されている通信端末（＃１）のＭＡＣアドレス：ｐｃ＿Ａを抽出し（ステップＳ２）、送信先通信端末ＭＡＣアドレス（ＭＡＣ−ＤＡ）抽出部１４は、イーサネット（登録商標）フレーム信号の送信先アドレス部に格納されている通信端末（＃２）のＭＡＣアドレス：ｐｃ＿Ｄを抽出する（ステップＳ７）。
【００３１】
送信元通信端末ＭＡＣアドレス（ＭＡＣ−ＳＡ）抽出部１１は、抽出したＭＡＣアドレス：ｐｃ＿Ａが通信端末ＭＡＣアドレス記録部１２に登録されているか否かを確認する（ステップＳ３）。登録されていない場合、ＭＡＣアドレス：ｐｃ＿Ａを通信端末ＭＡＣアドレス記録部１２に登録を行った後に（ステップＳ４）、他のノード局装置に自局装置配下の通信端末（＃１）のＭＡＣアドレスｐｃ＿Ａを通知するＭＡＣアドレス通知フレームを信号生成し（ステップＳ５）、該ＭＡＣアドレス通知フレーム信号をリングネットワーク上にブロードキャスト送信する（ステップＳ６）。
【００３２】
なお、上記ステップＳ３において、送信元通信端末（＃１）のＭＡＣアドレス：ｐｃ＿Ａが通信端末ＭＡＣアドレス記録部１２に既に登録され、既にブロードキャスト送信が行われた実跡がある場合は、送信元通信端末（＃１）のＭＡＣアドレス：ｐｃ＿Ａについての処理を打ち切る。
【００３３】
一方、上記ステップＳ７の後、送信先通信端末ＭＡＣアドレス（ＭＡＣ−ＤＡ）抽出部１４は、対向する送信先通信端末のＭＡＣアドレス：ｐｃ＿Ｄが収集情報記録部１７に登録されているかどうかを調べ（ステップＳ８）、登録されていれば、その収容ノード局装置のＭＡＣアドレス：ｎｏｄｅ＿Ｄを送信部１５に通知し、送信部１５は、該ノード局装置（対向装置）のＭＡＣアドレス：ｎｏｄｅ＿Ｄを送信先ＭＡＣアドレスとするヘッダを付加したＭＡＣフレーム信号によりポイントツーポイント送信を行う（ステップＳ９）。
【００３４】
送信先通信端末のＭＡＣアドレス：ｐｃ＿Ｄが収集情報記録部１７に登録されていない場合は、通信端末（＃１）からのイーサネット（登録商標）フレーム信号に、リングネットワーク上の全てのノード局装置を送信先とするヘッダを付加したＭＡＣフレームを生成し、該ＭＡＣフレームをリングネットワーク上にブロードキャスト送信する（ステップＳ６）。
【００３５】
対向装置側では、次の処理を行う。対向装置側であるｎｏｄｅ＿Ｄのノード局装置は、ｎｏｄｅ＿Ａのノード局装置からＭＡＣフレーム信号を受信した後、送信元のノード局装置のＭＡＣアドレス：ｎｏｄｅ＿Ａを抽出し（ステップＳ１１）、受信したＭＡＣフレーム信号がＭＡＣアドレス通知フレーム信号である場合、該ＭＡＣアドレス通知フレーム信号内に格納されているｎｏｄｅ＿Ａのノード局装置配下の通信端末のＭＡＣアドレス：ｐｃ＿Ａを、その収容ノード局装置のＭＡＣアドレス：ｎｏｄｅ＿Ａと共にＭＡＣアドレス収集情報記録部１７に登録する（ステップＳ１２）。
【００３６】
また、受信したＭＡＣフレーム信号が、ｎｏｄｅ＿Ａのノード局装置からポイントツーポイント通信又はブロードキャスト通信で送信された、通信端末（＃１）を送信元とする通信データのＭＡＣフレーム信号である場合、該ＭＡＣフレーム信号から送信元及び送信先のノード局装置のＭＡＣアドレスを含むヘッダを外したイーサネット（登録商標）フレーム信号を生成し、該イーサネット（登録商標）フレーム信号を通信端末（＃２）へ送信する（ステップＳ１３）。
【図面の簡単な説明】
【００３７】
【図１】本発明によるノード局装置の構成を示す図である。
【図２】本発明のノード局装置の通信処理のフローを示す図である。
【図３】本発明の通信処理方法の適用例を示す図である。
【図４】リングネットワークの構成例を示す図である。
【符号の説明】
【００３８】
１０  ノード局装置の回線収容パッケージ
１１  送信元通信端末ＭＡＣアドレス（ＭＡＣ−ＳＡ）抽出部
１２  通信端末ＭＡＣアドレス記録部
１３  ＭＡＣアドレス通知フレーム生成部
１４  送信先通信端末ＭＡＣアドレス（ＭＡＣ−ＤＡ）抽出部
１５  送信部
１６  他ノード通信端末ＭＡＣアドレス情報収集部
１７  ＭＡＣアドレス収集情報記録部
１８  イーサネット（登録商標）フレーム生成部
２０  通信端末
３０  他のノード局装置（対向装置）
【図１】
2009060383.tif 000003
【図２】
2009060383.tif 000004
【図３】
2009060383.tif 000005
【図４】
2009060383.tif 000006